(57)【要約】【課題】比較的簡単な構成で、使用者によるフィルタ面の掃除の手間を極力低減でき、しかもフィルタ面を良好に保つことができる乾燥機を提供する。【解決手段】本実施形態の乾燥機は、収容した乾燥対象物に乾燥風を供給して乾燥させる乾燥室と、この乾燥室に連通して設けられ、通過する前記乾燥風に含まれた異物を捕獲するフィルタ面を有するフィルタ室と、このフィルタ室内に三次元方向へ移動可能に設けられ、その移動に伴い前記フィルタ面を清掃する清掃体と、この清掃体にこれを三次元方向へ移動させる移動力を付与する移動力付与手段と、を備える。【選択図】図３
2017055961.tif 000002
【特許請求の範囲】
【請求項１】
収容した乾燥対象物に乾燥風を供給して乾燥させる乾燥室と、
この乾燥室に連通して設けられ、通過する前記乾燥風に含まれた異物を捕獲するフィルタ面を有するフィルタ室と、
このフィルタ室内に三次元方向へ移動可能に設けられ、その移動に伴い前記フィルタ面を清掃する清掃体と、
この清掃体にこれを三次元方向へ移動させる移動力を付与する移動力付与手段と、を備えた乾燥機。
【請求項２】
前記移動力付与手段は、前記フィルタ室を流れる前記乾燥風の流れを乱して乱流を発生させる乱流発生部である請求項１記載の乾燥機。
【請求項３】
前記移動力付与手段は、一端部が前記フィルタ室における風上側に存する連結部に連結され、他端部が前記清掃体に連結された紐状部材であり、
前記紐状部材を直線状にした状態において前記連結部から前記清掃体の先端部までの長さは、前記連結部から当該連結部から最も離れた前記フィルタ面までの距離よりも長く設定されている請求項１記載の乾燥機。
【請求項４】
前記移動力付与手段は、一端部が前記フィルタ室における風上側に存する連結部に連結され、他端部が前記清掃体に連結された伸縮可能な紐状部材であり、
前記紐状部材を直線状にした状態において前記連結部から前記清掃体の先端部までの長さは、前記連結部から当該連結部から最も離れた前記フィルタ面までの距離よりは短く設定されていて、前記紐状部材が引き伸ばされた状態では前記清掃体の一部が、前記連結部から最も離れた前記フィルタ面まで到達する請求項１記載の乾燥機。
【請求項５】
前記連結部を可動とした請求項３または４記載の乾燥機。
【請求項６】
前記清掃体は、表面部に摩擦部を有している請求項１から５のいずれか一項記載の乾燥機。
【請求項７】
前記清掃体は、前記乾燥風を受ける突部を有している請求項１から６のいずれか一項記載の乾燥機。
【請求項８】
前記フィルタ面は、前記清掃体が接触可能な範囲内のみに設けられている請求項１から７のいずれか一項記載の乾燥機。
【請求項９】
前記フィルタ室を通過する前記乾燥風の流量を増減させる行程を有している請求項１から８のいずれか一項記載の乾燥機。
【発明の詳細な説明】
【技術分野】
【０００１】
本発明の実施形態は、乾燥機に関する。
【背景技術】
【０００２】
乾燥機としては、例えば衣類の洗濯機能と乾燥機能を備えたドラム式の洗濯乾燥機がある。この種の洗濯乾燥機においては、乾燥室として機能する水槽の外側に、当該水槽内と連通する乾燥用の循環風路が設けられ、この循環風路中に、熱交換器および送風機が設けられているとともに、熱交換器の上流側に位置させてフィルタ装置が設けられている。乾燥運転時において衣類などから発生した糸屑などのリント（異物）を、フィルタ装置が有するフィルタ面で捕獲することにより、そのリントが、熱交換器等へ侵入することを防止するようにしている。
【０００３】
フィルタ面に捕獲されたリントは堆積していくため、使用者が、堆積したリントを定期的に取り除くようにしている。しかしながら、フィルタ面に捕獲されたリントはフィルタ面に絡まっていて除去し難く、その掃除は面倒である。しかも、フィルタ面の掃除を怠ると、フィルタ面が目詰まりし、ここを通過する風量が低下し、ひいては循環風路を流れる乾燥風の風量が低下し、乾燥効率を低下させる要因となる。
【先行技術文献】
【特許文献】
【０００４】
【特許文献１】特開２０１４−６８６５５号公報
【発明の概要】
【発明が解決しようとする課題】
【０００５】
そこで、比較的簡単な構成で、使用者によるフィルタ面の掃除の手間を極力低減でき、しかもフィルタ面を良好に保つことができる乾燥機を提供する。
【課題を解決するための手段】
【０００６】
本実施形態の乾燥機は、収容した乾燥対象物に乾燥風を供給して乾燥させる乾燥室と、この乾燥室に連通して設けられ、通過する前記乾燥風に含まれた異物を捕獲するフィルタ面を有するフィルタ室と、このフィルタ室内に三次元方向へ移動可能に設けられ、その移動に伴い前記フィルタ面を清掃する清掃体と、この清掃体にこれを三次元方向へ移動させる移動力を付与する移動力付与手段と、を備える。
【図面の簡単な説明】
【０００７】
【図１】第１実施形態による洗濯乾燥機を模式的に示す破断側面図
【図２】第１のフィルタ部材をフィルタ収容部から取り出した状態を示すフィルタ装置部分の外観斜視図
【図３】循環風路におけるフィルタ装置部分の概略的な縦断側面図
【図４】蓋部を外した状態でのフィルタ室部分の概略的な斜視図
【図５】フィルタ室部分の概略的な横断平面図
【図６】清掃体の断面図
【図７】第２実施形態を示すもので、蓋部を外した状態でのフィルタ室部分の概略的な斜視図
【図８】フィルタ室部分の概略的な横断平面図
【図９】第３実施形態を示すもので、蓋部を外した状態でのフィルタ室部分の概略的な斜視図
【図１０】蓋部を外した状態でのフィルタ室部分の概略的な縦断側面図
【図１１】第４実施形態を示すもので、蓋部を外した状態でのフィルタ室部分の概略的な斜視図
【図１２】フィルタ室部分の概略的な横断平面図
【図１３】蓋部を外した状態でのフィルタ室部分の概略的な縦断側面図
【図１４】第５実施形態を示すもので、蓋部を外した状態でのフィルタ室部分の概略的な縦断側面図
【図１５】第６実施形態を示すもので、蓋部を外した状態でのフィルタ室部分の概略的な斜視図
【図１６】第７実施形態による清掃体の断面図
【図１７】第８実施形態による清掃体の断面図
【発明を実施するための形態】
【０００８】
以下、複数の実施形態による乾燥機を図面を参照しながら説明する。なお、各実施形態において実質的に同一の構成部位には同一の符号を付し、説明を省略する。
（第１実施形態）
まず、第１実施形態について図１から図６を参照して説明する。図１には、乾燥機としてドラム式の洗濯乾燥機１の概略構成が模式的に示されている。この洗濯乾燥機１は、衣類の洗濯機能と乾燥機能を備えている。洗濯乾燥機１の外箱２は、ほぼ矩形の箱状をなしていて、前面部２ａがやや前下がりに傾斜している。その前面部２ａには、洗濯物出入口３が設けられているとともに、この洗濯物出入口３を開閉する扉４が回動可能に設けられている。
【０００９】
外箱２内には、水槽５が図示しないサスペンションにより弾性的に支持された状態で配設されている。この水槽５は、円筒状をなし、後面が水槽端板により閉鎖されている。水槽５は、これの中心軸線が前後方向を向く横向きで、かつやや前上がりの傾斜状態で配置されていて、前面開口部５ａがべローズ６を介して前記洗濯物出入口３に接続されている。洗濯乾燥機１には、図示はされていないが、水槽５内へ給水するための給水機構が設けられている。水槽５の後部の底部には排水口７が設けられていて、この排水口７に、排水弁８を介して排水管９が接続されている。排水弁８が閉鎖された状態で給水機構から水槽５内に水が供給された場合には、その水は水槽５内に貯留される。排水弁８が開放されることに伴い、水槽５内に貯留されていた水は、排水管９を通して機外へ排出される。
【００１０】
水槽５内には、回転槽１０が回転可能に配設されている。この回転槽１０も、水槽５と同様に、後面が回転槽端板により閉鎖された円筒状をなしていて、これの中心軸線が前後方向を向く横向きで、かつやや前上がりの傾斜状態で配置されている。回転槽１０の前面開口部１０ａは、水槽５の前面開口部５ａおよび洗濯物出入口３に連通している。扉４を開放することで、洗濯物出入口３、水槽５の前面開口部５ａ、および回転槽１０の前面開口部１０ａを通して回転槽１０に対して衣類を出し入れすることができる。したがって、回転槽１０内には、洗濯および乾燥の対象物となる衣類が出し入れ可能に収容される。
【００１１】
回転槽１０の胴部の周壁部および後面の回転槽端板には多数の孔部１１が形成されている。この孔部１１は、洗濯運転における洗いやすすぎ時には、水槽５内と回転槽１０内との間で水の移動が可能な通水孔として機能し、脱水時には脱水孔として機能し、乾燥運転時には空気の移動が可能な通風孔として機能する。
【００１２】
水槽５の背面にはモータ１２が設けられている。このモータ１２は、この場合アウターロータタイプのＤＣブラシレスモータにより構成されていて、これの回転軸１３が水槽端板を貫通して回転槽１０の端板に連結されている。回転槽１０は、モータ１２により直接回転駆動される。水槽５は、乾燥運転時に乾燥対象の衣類を収容する乾燥室として機能する。
【００１３】
外箱２内において、水槽５の周りには循環風路１５が設けられている。この循環風路１５は、この場合、排気ダクト１６と、中間ダクト１７と、熱交換器用ダクト１８と、給気ダクト１９を備えている。水槽５には、前方から見て右上部に位置させて排気口２０が設けられていて、この排気口２０に、循環風路１５の一端部を構成する排気ダクト１６の一端部が接続されている。排気ダクト１６の後端部が、中間ダクト１７に前方から接続されている。中間ダクト１７の前部に、乾燥用のフィルタ装置２１が設けられている。このフィルタ装置２１については、後で詳述する。
【００１４】
中間ダクト１７の後部は、後方に延びた後、下方に向けて延びていて、水槽５の下方に配設された熱交換器用ダクト１８の一端部に接続されている。熱交換器用ダクト１８内には、ヒートポンプ２２の凝縮器２３と蒸発器２４とが収容配置されている。ここで、ヒートポンプ２２は、周知のように、冷媒を圧縮して吐出する圧縮機２５と、この圧縮機２５から吐出された高温高圧の冷媒を凝縮して液化させる凝縮器２３と、この凝縮器２３で液化した冷媒の流量を調整する絞り装置（図示せず）と、この絞り装置を通った冷媒を蒸発させる蒸発器２４を、配管でサイクル接続して構成されたもので、冷凍サイクルを構成している。このうち、凝縮器２３は、熱交換器用ダクト１８内を流れる空気を加熱する加熱手段として機能し、蒸発器２４は、熱交換器用ダクト１８内を流れる空気を冷却して除湿する除湿手段として機能する。熱交換器用ダクト１８において、蒸発器２４が中間ダクト１７との接続部寄りに配置され、凝縮器２３が給気ダクト１９寄りに配置されている。
【００１５】
熱交換器用ダクト１８と給気ダクト１９との接続部分には送風機２６が配設されている。送風機２６は、ファンケーシング２７と、このファンケーシング２７内に配設されたファン２８と、このファン２８を回転駆動するファンモータ２９を備えていて、ファンケーシング２７の吸気口２７ａが熱交換器用ダクト１８に接続され、吐出口２７ｂが上に向けられて給気ダクト１９の下端部に接続されている。給気ダクト１９の上端部は、水槽５の背面側を上方に向けて延び、水槽端板の上部に設けられた給気口３０に接続されている。
【００１６】
ここで、乾燥運転時に送風機２６が駆動されると、その送風作用により、図１に矢印で示すように、回転槽１０内および水槽５内の空気が、排気口２０から循環風路１５の排気ダクト１６、中間ダクト１７、熱交換器用ダクト１８、給気ダクト１９を順に通り、給気口３０から水槽５内、ひいては回転槽１０内に戻されるというように循環される。このとき、熱交換器用ダクト１８を通る空気が凝縮器２３により加熱されることで温風化され、温風が水槽５内ひいては回転槽１０内に供給されることで、回転槽１０内に収容された乾燥対象物である衣類が温められる。そして、衣類から湿気を奪った空気が、排気ダクト１６、中間ダクト１７を通った後、熱交換器用ダクト１８の蒸発器２４を通過する過程で、その蒸発器２４により冷却除湿される。そして、その除湿された空気が凝縮器２３で再び加熱されて水槽５内へ供給される。これを繰り返すことで、回転槽１０内の衣類が乾燥されるようになる。
【００１７】
次に、フィルタ装置２１について図２から図６も参照して説明する。中間ダクト１７の前部には、フィルタ装置２１を収容するフィルタ収容部３２が設けられている。フィルタ装置２１は、この場合、第１のフィルタ部材３３と、第２のフィルタ部材３４を備えている。このうち、第１のフィルタ部材３３は、図２から図４に示すように、矩形の箱状をなしていて、内部をフィルタ室３５としている。第１のフィルタ部材３３の上面部は、蓋部３６（図２および図３参照）により閉塞されている。第１のフィルタ部材３３は、前面部に開口部３７を有し、左側面部に左側壁、右側面部に右側壁を有し、底面部と後面部に網目状の第１フィルタ面３８を有している。開口部３７は、排気ダクト１６に連通している。
【００１８】
前面部の開口部３７には十字状の桟３９が設けられていて、補強されている。開口部３７の右側には導風板４０が設けられていて、開口部３７の右側がその導風板４０により閉鎖されている。この導風板４０は、後述するように、移動力付与手段および乱流発生部として機能する。底面部および後面部にも格子状の桟４１が設けられていて、第１フィルタ面３８が補強されている。底面部および後面部のうち、第１フィルタ面３８の周りには、フィルタ面がないフィルタレス部４２が存している。底面部および後面部の第１フィルタ面３８は、横から見てＬ字状をなしている。第１フィルタ面３８において、底面部と後面部の境界部分は、傾斜面３８ａとなっている。
【００１９】
そして、フィルタ室３５内には、清掃体４３が収容されている。この清掃体４３は、図６にも示すように球状をなしていて、表面部に摩擦部として機能する針状の突起部４４を多数本有している。清掃体４３は、フィルタ室３５内において三次元方向に移動可能とされている。
【００２０】
図２に示すように、第１のフィルタ部材３３における蓋部３６には、手掛け部４５が設けられている。また、前記外箱２の上面部２ｂの右部には、フィルタ収容部３２内に連通するフィルタ出入口４６が設けられている。使用者は、手掛け部４５に手指を掛けて持つことで、第１のフィルタ部材３３を、フィルタ出入口４６を通しフィルタ収容部３２に対して出し入れすることができる。第１のフィルタ部材３３をフィルタ収容部３２に装着した状態では、蓋部３６によりフィルタ出入口４６が閉鎖される。
【００２１】
前記第２のフィルタ部材３４は、図１および図３に示すように、フィルタ収容部３２内において、第１のフィルタ部材３３の下流側（風下側）に収容配置されている。この第２のフィルタ部材３４は、第１のフィルタ部材３３における底面部と後面部の第１フィルタ面３８に対向するように、網目状の第２フィルタ面４７を有している。第２フィルタ面４７も、第１フィルタ面３８に沿うようにＬ字状をなしていて、格子状の桟４８（図２参照）により補強されている。この場合、風下側の第２フィルタ面４７の網目は、風上側の第１フィルタ面３８の網目よりも細かいものが用いられている。
【００２２】
洗濯乾燥機１には、図示はしないが操作パネルおよび制御装置が設けられている。操作パネルには、洗濯運転や乾燥運転のコースなどを設定する操作部や、設定内容を表示する表示部が設けられている。また、制御装置は、マイクロコンピュータを主体に構成され、洗濯運転や乾燥運転の制御プログラムを有していて、操作部の設定と制御プログラムに基づき洗濯運転や乾燥運転を制御する。
【００２３】
上記構成において、乾燥運転時には、前述したように、送風機２６の送風作用により、回転槽１０内および水槽５内の空気が、図１に矢印で示すように循環風路１５を通して循環され、この循環する乾燥風により、回転槽１０内に収容された乾燥対象物である衣類が次第に乾燥されるようになる。
【００２４】
またこの乾燥運転時において、回転槽１０内の衣類から発生したリント（異物）が乾燥風に含まれていると、その乾燥風が、排気ダクト１６から中間ダクト１７を通過する際に、そのリントの大部分は第１フィルタ面３８にて捕獲される。また、第１フィルタ面３８を通過するような細かいリントがあったとしても、そのリントも第２フィルタ面４７にて捕獲されるようになる。このため、衣類から発生したリントは、第１フィルタ面３８および第２フィルタ面４７にて捕獲されるようになるので、リントが、下流に存する熱交換器である蒸発器２４や凝縮器２３などに侵入することを防止できる。
【００２５】
またこのとき、乾燥風が、第１のフィルタ部材３３における開口部３７からフィルタ室３５内に入った際の流れは、例えば図５に矢印Ａ１で示すような乱流が生ずるような流れとなる。これは、開口部３７の右側に導風板４０が存するためである。
【００２６】
ちなみに、導風板４０がない場合には、排気ダクト１６から第１のフィルタ部材３３に向けて流れる乾燥風は、二点鎖線の矢印Ｂ１で示すように、開口部３７からフィルタ室３５の奥に向けてほぼ直線状に流れるようになる。
【００２７】
これに対して、本実施形態においては、開口部３７の右側に導風板４０を設けているため、排気ダクト１６から第１のフィルタ部材３３に向けて流れる乾燥風の一部が、導風板４０の前面に当たって横向きに向きを変えながら、開口部３７を通りフィルタ室３５内に入るようになる。これにより、開口部３７からフィルタ室３５内に入った際の乾燥風の流れは、図５に矢印Ａ１で示すような乱流が生ずるような流れとなる。
【００２８】
このため、フィルタ室３５内に収容されている清掃体４３は、その乱流気味の乾燥風の影響を受けてフィルタ室３５内を三次元方向に動き回るようになる。清掃体４３がフィルタ室３５内を動き回ることで、当該清掃体４３の突起部４４が、第１フィルタ面３８に捕獲されていたリントを絡め取るようになる。これにより、第１フィルタ面３８が清掃体４３により清掃されるようになるので、第１フィルタ面３８にリントが堆積して目詰まりが生ずることを防止でき、フィルタ室３５内を通過する乾燥風、ひいては循環風路１５を通過する乾燥風の風量が低下することを極力防止できるようになる。この場合、第１フィルタ面３８がＬ字状をなしているが、清掃体４３は三次元方向に動き回ることで第１フィルタ面３８を清掃するので、その第１フィルタ面３８を良好に清掃することができる。
【００２９】
ここで、前述したように、第１のフィルタ部材３３における開口部３７に導風板４０を設けていない場合、排気ダクト１６から第１のフィルタ部材３３に向けて流れる乾燥風は、二点鎖線の矢印Ｂ１で示すように、開口部３７からフィルタ室３５の奥に向けてほぼ直線状に流れるようになる。すると、フィルタ室３５内に清掃体４３が収容されていたとしても、清掃体４３は、開口部３７からフィルタ室３５の奥に向けて流れる乾燥風により第１フィルタ面３８に一方向から押し付けられるようになるため、清掃体４３が三次元方向に動き回ることが期待できず、これでは第１フィルタ面３８を清掃体４３で清掃することができない。この点、本実施形態においては、フィルタ室３５の入口に導風板４０を設けておくことで、フィルタ室３５内に乱流を発生させ、清掃体４３を三次元方向に動き回らせることが可能になり、第１フィルタ面３８を良好に清掃することが可能になる。
【００３０】
したがって、導風板４０は、フィルタ室３５内を流れる乾燥風の流れを乱して乱流を発生する乱流発生部の機能と、清掃体４３にこれを三次元方向へ移動させる移動力を付与する移動力付与手段の機能を発揮する。
【００３１】
また、乾燥運転時において、送風機２６の回転数を高くしたり低くしたりすることで、循環風路１５を流れる乾燥風の流量を増減させる行程を設けることが好ましい。循環風路１５を流れる乾燥風の流量を増減させるように変化させる行程を設けることで、フィルタ室３５内に一層乱流が発生し易くなり、清掃体４３を三次元方向へ一層動き回らせることが可能となる。衣類からリントが発生するのは、ある程度衣類が乾燥し始めてからであり、濡れている衣類からはリントは発生し難い。このため、清掃体４３を動き回らせるために乾燥風の流量を増減させる行程は、乾燥運転の後半以降に設けることが一層有効である。
【００３２】
本実施形態においては、水槽５に連通する循環風路１５中に、第１フィルタ面３８を有するフィルタ室３５を設け、このフィルタ室３５内に三次元方向へ移動可能な清掃体４３を収容し、乾燥運転時にその清掃体４３を三次元方向へ動き回らせることで、清掃体４３により第１フィルタ面３８を清掃するようにした。これにより、第１フィルタ面３８を使用者が掃除しなくても良好な状態に保つことができ、使用者が第１フィルタ面３８を掃除する手間を大幅に減らすことが可能となる。しかもこの場合、フィルタ室３５内に清掃体４３を収容するとともに、フィルタ室３５の入口に乱流発生用の導風板４０を設けるという簡単な構成で達成できる。
【００３３】
また、清掃体４３は、表面部に摩擦部として機能する突起部４４を多数本設けた形態としているので、その突起部４４により、第１フィルタ面３８に付着したリントを良好に絡め取ることができ、第１フィルタ面３８を良好に清掃することができる。なお、清掃体４３を掃除する場合には、第１のフィルタ部材３３をフィルタ収容部３２から取り出した後、蓋部３６を外して清掃体４３をフィルタ室３５から取り出すことで、清掃体４３を容易に清掃することができる。
【００３４】
フィルタ室３５における底面部と後面部において、第１フィルタ面３８は、清掃体４３が接触可能な範囲内のみに設けられているので、清掃体４３により第１フィルタ面３８全体を良好に清掃することができる。本実施形態においては、フィルタ室３５における底面部と後面部において、第１フィルタ面３８の周囲部は、隣り合う左側壁や右側壁、天井壁（蓋部３６）、前面の桟３９に近く、角部となり、清掃体４３が近付いても突起部４４が届かず、清掃することができない部分がある。この部分は、フィルタ面を設けず、フィルタレス部４２としているので、このフィルタレス部４２にはリントは付着せず、リントの取り残しが発生することを極力防止できる。
【００３５】
（第２実施形態）
第２実施形態について主に図７および図８を参照して説明する。この第２実施形態においては、第１実施形態とは導風板５０の位置が異なっている。導風板５０は、第１のフィルタ部材３３のフィルタ室３５の前面にける開口部３７において、矩形状をなし、基端部となる左端部が開口部３７の左右方向の中央部に固定され、先端部となる右端部が右斜め前へ向くように斜めに設けられている。
【００３６】
上記構成において、乾燥運転時に排気ダクト１６から第１のフィルタ部材３３に向けて乾燥風が流れると、その乾燥風の一部が、図８に矢印Ｃ１で示すように導風板５０の前面に当たって横向きに向きを変えながら、開口部３７を通りフィルタ室３５内に入るようになるとともに、図５に矢印Ｃ２で示すように導風板５０の内側から開口部３７を通りフィルタ室３５内に入るようになる。これらにより、フィルタ室３５内には、乾燥風の乱流が生ずるような流れとなる。
【００３７】
これにより、第１実施形態の場合と同様に、フィルタ室３５内に収容されている清掃体４３は、その乱流気味の乾燥風の影響を受けてフィルタ室３５内を三次元方向に動き回るようになる。清掃体４３がフィルタ室３５内を動き回ることで、当該清掃体４３の突起部４４が、第１フィルタ面３８に捕獲されていたリントを絡め取るようになる。これにより、第１フィルタ面３８が清掃体４３により清掃されるようになる。
【００３８】
（第３実施形態）
第３実施形態について主に図９および図１０を参照して説明する。この第３実施形態においては、第１および第２実施形態とは導風板５１の位置が異なっている。導風板５１は、第１のフィルタ部材３３のフィルタ室３５の前面にける開口部３７において、左右方向に延びる矩形状をなし、基端部となる上端部が開口部３７の上下方向の中央部に固定され、先端部となる下端部が前斜め下へ向くように前下がりの斜めに設けられている。
【００３９】
上記構成において、乾燥運転時に排気ダクト１６から第１のフィルタ部材３３に向けて乾燥風が流れると、その乾燥風の一部が、図１０に矢印Ｄ１で示すように導風板５１の上面に当たって上向きに向きを変えながら、開口部３７を通りフィルタ室３５内に入るようになるとともに、図１０に矢印Ｄ２で示すように導風板５１の下側から開口部３７を通りフィルタ室３５内に入るようになる。これらにより、フィルタ室３５内には、乾燥風の乱流が生ずるような流れとなる。
【００４０】
これにより、第１実施形態の場合と同様に、フィルタ室３５内に収容されている清掃体４３は、その乱流気味の乾燥風の影響を受けてフィルタ室３５内を三次元方向に動き回るようになる。清掃体４３がフィルタ室３５内を動き回ることで、当該清掃体４３の突起部４４が、第１フィルタ面３８に捕獲されていたリントを絡め取るようになる。これにより、第１フィルタ面３８が清掃体４３により清掃されるようになる。
【００４１】
（第４実施形態）
第４実施形態について主に図１１から図１３を参照して説明する。この第４実施形態においては、導風板は設けられておらず、紐状部材５２が設けられている。紐状部材５２は、一端部が、フィルタ室３５において風上側となる前面側の開口部３７の桟３９の中央部の連結部５３に連結固定され、他端部が清掃体４３に連結されている。この場合、紐状部材５２を直線状に伸ばした状態において、連結部５３から清掃体４３の先端部までの長さ寸法Ｌ１は、連結部５３から最も離れた第１フィルタ面３８までの距離Ｌ２（図１３参照）よりも長く設定されている（Ｌ１＞Ｌ２）。
【００４２】
上記構成において、乾燥運転時に排気ダクト１６から第１のフィルタ部材３３に向けて乾燥風が流れると、紐状部材５２がその乾燥風を受けて不規則に揺れ動くとともに、清掃体４３も乾燥風を受けて不規則に動く。これに基づき、清掃体４３は、フィルタ室３５内を三次元方向に動き回るようになり、清掃体４３の突起部４４が、第１フィルタ面３８に捕獲されていたリントを絡め取るようになる。これにより、第１フィルタ面３８が清掃体４３により清掃されるようになる。本実施形態においては、紐状部材５２が、清掃体４３にこれを三次元方向へ移動させる移動力を付与する移動力付与手段として機能する。
【００４３】
（第５実施形態）
第５実施形態について主に図１４を参照して説明する。この第５実施形態においては、紐状部材５４を、伸縮が可能な弾性部材として、例えばゴムにより構成した点が、第４実施形態とは異なっている。紐状部材５４は、第４実施形態の紐状部材５２と同様に、一端部が、フィルタ室３５において風上側となる前面側の開口部３７の桟３９の中央部の連結部５３に連結固定され、他端部が清掃体４３に連結されている。
【００４４】
この場合、紐状部材５４を単に直線状に伸ばした状態においては、連結部５３から清掃体４３の先端部までの長さ寸法Ｌ３は、連結部５３から最も離れた第１フィルタ面３８までの距離Ｌ２（図１４参照）よりも短く設定されている（Ｌ３＜Ｌ２）が、紐状部材５４を引き伸ばした状態では、清掃体４３の一部が、連結部５３から最も離れた第１フィルタ面３８まで到達する構成となっている。
【００４５】
上記した構成においては、清掃体４３の動きに伴い紐状部材５４が伸び縮みすることで、清掃体４３が三次元方向に一層動き回ることが期待でき、一層清掃効果の向上が期待できる。
【００４６】
（第６実施形態）
第６実施形態について図１５を参照して説明する。この第６実施形態においては、開口部３７における桟３９の中央部に、乾燥風を受けることによって回転する風車５６を回転可能に設け、この風車５６が有する羽根５７の連結部５８に、第４実施形態における紐状部材５２の一端部を連結している。
【００４７】
上記構成において、乾燥運転時に乾燥風を受けて風車５６が回転すると、紐状部材５２の一端部を連結した連結部５８も回転する。これに伴い、紐状部材５２に連結された清掃体４３は、フィルタ室３５内を三次元方向へ一層広い範囲で動き回るようになり、これにより、第１フィルタ面３８が清掃体４３により清掃されるようになる。
【００４８】
したがって、この場合、紐状部材５２の一端部を連結した連結部５８は可動とされている。またこの実施形態においては、紐状部材５２と風車５６は、清掃体４３を三次元方向へ移動させる移動力を付与する移動力付与手段として機能する。紐状部材５２に代えて、第５実施形態で示した伸縮可能な紐状部材５４を用いるようにしてもよい。
連結部５８を可動とする手段としては、上記した風車５６に限られず、例えば乾燥風を受けて揺動する部材を利用することも可能である。
【００４９】
（第７実施形態）
第７実施形態について図１６を参照して説明する。この第７実施形態においては、清掃体６０の形態が第１実施形態とは異なっている。この清掃体６０は、球状をなしていて、表面部に摩擦部として機能するかぎ状の突起部６１を多数本有している。かぎ状の突起部６１は、面状ファスナーのかぎ状の突起部と似た形状となっている。
【００５０】
（第８実施形態）
第８実施形態について図１７を参照して説明する。この第８実施形態における清掃体６３は、球状をなしていて、表面部に第７実施形態と同様なかぎ状の突起部６１を多数本有しているとともに、風受け用の突部６４を複数本有している。風受け用の突部６４は、かぎ状の突起部６１よりも太くて、かつ外側へ大きく突出していて、風を受け易い形状となっている。
【００５１】
この構成において、清掃体６３の突部６４が風を受けると、清掃体６３は不規則に動くようになることが期待される。これにより、清掃体６３は三次元方向へ一層動き回ることが期待される。
【００５２】
（その他の実施形態）
清掃体４３，６０，６３の表面部の形態としては、突起部４４，６１を有する形態に限られず、網目状であっても、あるいは粘着面であってもよく、要は第１フィルタ面３８に付着したリントを取り除くことができる摩擦部を有する形態であればよい。
フィルタ装置２１において、第２のフィルタ部材３４は必要に応じて設ければよいもので、備えていなくてもよい。フィルタ装置２１は、循環風路１５に設けることに限られず、例えば水槽５から排気される排気路に設けることも可能である。
【００５３】
例えば制御装置において乾燥運転の運転回数、あるいは運転時間を計測し、その運転回数、あるいは運転時間が、予め設定された設定回数、あるいは設定時間に達したら、報知手段により、清掃体４３，６０，６３が清掃時期に達したことを報知するようにしてもよい。
洗濯乾燥機としては、水槽および回転槽の中心軸線が上下方向に指向する、いわゆる縦軸型の洗濯乾燥機にも適用できる。また、乾燥機としては、洗濯機能がないものでもよい。
【００５４】
以上説明したように、少なくとも一つの実施形態によれば、フィルタ面を有するフィルタ室内に清掃体を設け、乾燥運転時にこの清掃体を三次元方向に動き回らせることで、清掃体によりフィルタ面を清掃するようにした。これにより、比較的簡単な構成で、使用者によるフィルタ面の掃除の手間を極力低減でき、しかもフィルタ面を良好に保つことができる。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
図面中、１は洗濯乾燥機（乾燥機）、５は水槽（乾燥室）、１０は回転槽、１５は循環風路、２１はフィルタ装置、２６は送風機、３２はフィルタ収容部、３３は第１のフィルタ部材、３４は第２のフィルタ部材、３５はフィルタ室、３６は蓋部、３８は第１フィルタ面（フィルタ面）、４０は導風板（移動力付与手段、乱流発生部）、４２はフィルタレス部、４３は清掃体、４４は突起部（摩擦部）、４７は第２フィルタ面、５０は導風板（移動力付与手段、乱流発生部）、５１は導風板（移動力付与手段、乱流発生部）、５２は紐状部材（移動力付与手段）、５３は連結部、５４は紐状部材（移動力付与手段）、５６は風車（移動力付与手段）、５８は連結部、６０は清掃体、６１は突起部（摩擦部）、６３は清掃体、６４は突部を示す。
【図１】
2017055961.tif 000003
【図２】
2017055961.tif 000004
【図３】
2017055961.tif 000005
【図４】
2017055961.tif 000006
【図５】
2017055961.tif 000007
【図６】
2017055961.tif 000008
【図７】
2017055961.tif 000009
【図８】
2017055961.tif 000010
【図９】
2017055961.tif 000011
【図１０】
2017055961.tif 000012
【図１１】
2017055961.tif 000013
【図１２】
2017055961.tif 000014
【図１３】
2017055961.tif 000015
【図１４】
2017055961.tif 000016
【図１５】
2017055961.tif 000017
【図１６】
2017055961.tif 000018
【図１７】
2017055961.tif 000019